(57)【要約】【課題】コネクタにおいて、特にプリント配線基板に実装されるコネクタにおいて、傾いた状態で嵌合された場合においても、コネクタの端子が変形する等の損傷を受けることなく、且つ、電気的に安定した接続が行なわれるコネクタを提供する。【解決手段】ハウジングに相手側コネクタを上方から挿入する嵌合凹部と該嵌合凹部に連続して横設された端子収容凹部を設け、略Ｕ字状に曲げれた一端が前記嵌合凹部に突出する第一折曲部を有する導電性金属の端子の一部を前記端子収容凹部に収容し、該収容凹部の前記端子を覆う上方の壁に切り欠き部を形成することにより、相手コネクタとの嵌合が傾いて行なわれた場合においても、端子が損傷を受けることなく安定した電気的接続が可能となる。【選択図】図４
2015046371.tif 000002
【特許請求の範囲】
【請求項１】
相手側コネクタを上方から挿入する嵌合凹部と、該嵌合凹部に連続して横設された端子収容凹部が形成されたハウジングと、
一部が前記端子収容凹部に収容され、一端が略Ｕ字状に曲げられ前記嵌合凹部に突出する第一折曲部を有する複数の導電性金属の端子と、
からなるコネクタであり、
前記収容凹部の前記端子を覆う上方の壁は、切り欠き部によって一部が切り欠かれていることを特徴とするコネクタ。
【請求項２】
前記端子は、
前記第一折曲部と、
前記収容凹部において略Ｕ字状に折曲する第二折曲部と、
前記嵌合凹部の底面付近から上方に立ち上げられＵ字状に折曲して下方に向かう第三折曲部と、
他端であり前記ハウジングの外側へ配置される出力端子部とが、
前記第一折曲部、前記第二折曲部、前記第三折曲部、前記出力端子部の順で連設され、
前記第三折曲部が前記収容凹部に対向して形成された端子固定凹部に嵌合されることを特徴とする請求項１に記載のコネクタ。
【請求項３】
前記第一折曲部の一部は、前記切り欠き部に突出していることを特徴とする請求項１又は請求項２に記載のコネクタ。
【発明の詳細な説明】
【技術分野】
【０００１】  本発明は、プリント配線基板に実装されるプリント配線基板用のコネクタに関するものであり、相手側コネクタが正規の方向ではなく傾いて嵌合する場合においても、破壊等が発生することなく好適な相手側コネクタとの接続ができる構造を備えたプリント配線基板用のコネクタに関するものである。
【背景技術】
【０００２】  従来、プリント配線基板とプリント配線基板との電気的接続には、図７に示すようにプリント配線基板３００に実装されたプリント配線基板用のコネクタ１００に、もう一方のプリント配線基板４００に実装した相手側コネクタ２００を嵌合することにより、両プリント配線基板３００、４００が電気的に接続され、両プリント配線基板の回路パターンの電気的接続がなされるようになっている。【０００３】  コネクタ１００は、収容凹部１０４に弾性変形可能なソケット端子１０２が収容されており、ここではソケットコネクタ１００とする。また、相手側コネクタ２００は嵌合凸部２０１にプラグ端子２０２が固定されており、ここではプラグコネクタ２００とする。【０００４】  詳しくは、ソケットコネクタ１００は、略長方状の絶縁性のソケットハウジング１０３に略長方状に上方に開口した嵌合凹部１０１が形成され、嵌合凹部１０１に横設して上方が覆われる収容凹部１０４に円弧状にカーブした導電性の金属からなるソケット端子１０２が一端１０５を嵌合凹部１０１に突出して収容されている。プラグコネクタ２００は、ハウジング２０３に略長方状に凸設した嵌合凸部２０１が形成され、嵌合凸部２０１の側面に沿って導電性の金属からなるプラグ端子２０２が配置されている。【０００５】  これらのソケットコネクタ１００は、ハウジング１０３の外側に突出したソケット端子１０２の他端が一方のプリント配線基板３００に半田付けされて実装され、プラグコネクタ２００はハウジング２０３の外側に突出したプラグ端子２０２の端部が、もう一方のプリント配線基板４００に半田付けされ、以下のように互いが嵌合することとなる。図７においてプラグコネクタ２００の嵌合凸部２０１が上方よりソケットコネクタ１００の嵌合凹部１０１に嵌合され、固定されたプラグ端子２０２に対して収容凹部１０４において円弧状にカーブしたソケット端子１０２が弾性変形し、一端１０５がプラグ端子２０２に弾性接触し、これによってソケット端子１０２とプラグ端子２０２とが電気的に接続され、ソケットコネクタ１００を実装するプリント配線基板３００の回路パターンとプラグコネクタ２００を実装するプリント配線基板４００の回路パターンとが電気的に接続されることとなる。
【先行技術文献】
【特許文献】
【０００６】
【特許文献１】特開２０１０−５００２５号公報
【発明の概要】
【発明が解決しようとする課題】
【０００７】  しかしながら、プリント配線基板３００に実装したソケットコネクタ１００にプリント配線基板４００に実装したプラグコネクタ２００を嵌合する際、プリント配線基板３００，４００があることによってプラグコネクタ２００がソケットコネクタ１００の上方から嵌合される状態を確認することは難しく、このためプラグコネクタ２００が傾いた状態で上方からソケットコネクタ１００に嵌合されることがあり、この場合、以下のような問題が生じていた。プラグコネクタ２００が傾いた状態でソケットコネクタ１００に嵌合されようとした場合、プラグコネクタ２００の嵌合凸部２０１または嵌合凸部２０１に露出したプラグ端子２０２は、ソケットコネクタ１００の嵌合凹部１０１にプリント配線基板３００の平面方向に対して垂直方向から挿入されず、ソケットコネクタ１００の収容凹部１０４の上方の壁に当たり、これによって上方の壁１０６が変形しソケット端子１０２までも変形させたり、又、上方の壁１０６の一部が欠け、その欠けた小片がソケット端子１０２とプラグ端子２０２との間に介在し電気的接続を妨げ、ソケットコネクタ１００とプラグコネクタ２００との好適な嵌合および電気的接続が行なわれないといった問題を引きおこしていた。【０００８】  本発明は上述の問題点に鑑みてなされたもので、それぞれのプリント配線基板に実装されたコネクタが傾いた状態で嵌合された場合においてもコネクタの端子が変形する等の損傷を受けることなく、電気的に良好な接続が行なわれるプリント配線基板用のコネクタを提供することを目的とするものである。
【課題を解決するための手段】
【０００９】この従来の問題を解決するために、請求項１記載のコネクタは、相手側コネクタを上方から挿入する嵌合凹部と、該嵌合凹部に連続して横設された端子収容凹部が形成されたハウジングと、一部が該端子収容凹部に収容され、一端が略Ｕ字状に曲げられ前記嵌合凹部に突出する第一折曲部を有する複数の導電性金属の端子と、からなるコネクタであり、前記収容凹部の前記端子を覆う上方の壁は、切り欠き部によって一部が切り欠かれていることを特徴とするものである。【００１０】  請求項２記載のコネクタは、請求項１の構成に加え、前記端子は、前記第一折曲部と、前記収容凹部において略Ｕ字状に折曲する第二折曲部と、前記嵌合凹部の底面付近から上方に立ち上げられＵ字状に折曲して下方に向かう第三折曲部と、他端であり前記ハウジングの外側へ配置される出力端子部とが、前記第一折曲部、前記第二折曲部、前記第三折曲部、前記出力端子部の順で連設され、前記第三折曲部が前記収容凹部に対向して形成された端子固定凹部に嵌合されることを特徴とするものである。【００１１】  請求項３記載のコネクタは、請求項１又は請求項２の構成に加え、前記第一折曲部の一部は、前記切り欠き部に突出していることを特徴とするものである。
【発明の効果】
【００１２】  請求項１の発明によると、電気的な接触が行なわれる端子を覆う端子収容凹部の上方の壁の一部に切り欠きが設けられていることにより、相手側コネクタが傾いた状態で嵌合された場合においても嵌合凹部に嵌合されるべき相手側コネクタの端子およびハウジングの一部が収容凹部の上方の壁に当たることはなく、これによって上方の壁の一部が変形および欠けることによって起こる端子の変形および欠けた上方の壁の小片による相手側コネクタとの電気的な接触不良を防ぐことが可能となる。【００１３】  請求項２の発明によると、相手側コネクタと電気的に接触することとなる端子が略Ｕ字状に曲げられ嵌合凹部に突出する接触部が形成された第一折曲部とＵ字状に折曲した第三折曲部を有し、第一折曲部と第三折曲部とが対向して形成されていることにより、第三折曲部がハウジングに固定され、第一折曲部の弾性力とによって嵌合凹部に挿入された相手側コネクタの嵌合凸部を安定して挟持し、且つ相手側コネクタの嵌合凸部に取り付けられた相手側コネクタ端子への電気的接続が第一折曲部の接触部および第三折曲部の二箇所において可能となるため、安定した相手側コネクタとの電気的接続が可能となる。【００１４】  請求項３の発明によると、第一折曲部の一部が上方の壁に形成された切り欠き部に突出していることにより、第一折曲部における接触部の位置をより上方に設けることが可能となり、これによって相手側コネクタの嵌合凸部との有効嵌合長をより大きくすることが可能となり、より確実な相手側コネクタとの接続が可能となる。
【図面の簡単な説明】
【００１５】
【図１】本発明に係るコネクタの斜視図
【図２】本発明に係るコネクタの分解斜視図
【図３】（ａ）相手側コネクタの斜視図、（ｂ）相手側コネクタの断面図
【図４】本発明に係るコネクタがプリント配線基板に実装された際の図１のＡ−Ａ線における断面図
【図５】本発明に係るコネクタに相手側コネクタを嵌合した際の図１のＡ−Ａ線における断面図
【図６】本発明に係るコネクタに対して相手側コネクタが傾いて嵌合する際の図１のＡ−Ａ線における断面図
【図７】従来のコネクタの構造断面図
【発明を実施するための形態】
【００１６】  以下本発明の実施の形態を図面を参照して詳細に説明する。図１乃至図６は本発明の実施の形態を示したものであり、図１は本発明に係るコネクタの斜視図、図２は本発明に係るコネクタの分解斜視図、図３（ａ）は相手側コネクタの斜視図（ｂ）は相手側コネクタの断面図、図４は本発明に係るコネクタがプリント配線基板に実装された際の図１のＡ−Ａ線における断面図、図５は本発明に係るコネクタに相手側コネクタを嵌合した際の図１のＡ−Ａ線における断面図、図６は本発明に係るコネクタに対して相手側コネクタが傾いて嵌合する際の図１のＡ−Ａ線における断面図、図７は従来のコネクタの構造断面図である。コネクタ０１は、ハウジング１０、端子２０、固定金具３０からなり、一方のプリント配線基板７０に実装され、コネクタ０１に嵌合する相手側コネクタ０２は、ハウジング４０、端子５０、固定金具６０からなり、もう一方のプリント配線基板８０に実装される。
【００１７】  図４に示すように本実施の形態に係るコネクタ０１は一方のプリント配線基板７０に実装され、図５に示すように、もう一方のプリント配線基板８０に実装された相手側コネクタ０２と嵌合し、これによって双方のプリント配線基板７０、８０が電気的に接続されるものである。
【００１８】  コネクタ０１は嵌合凹部１１が形成されたソケットコネクタであり、相手側コネクタ０２はコネクタ０１の嵌合凹部１１に嵌合する嵌合凸部４１が形成されたプラグコネクタであるため、以下、本実施の形態に係るコネクタ０１即ち本発明に係るコネクタをソケットコネクタ０１とし、相手側コネクタ０２をプラグコネクタ０２とする。また、ソケットコネクタ０１を構成するハウジング１０をソケットハウジング１０、端子２０をソケット端子２０、固定金具３０をソケット固定金具３０とし、プラグコネクタ０２を構成するハウジング４０をプラグハウジング４０、端子５０をプラグ端子５０、固定金具６０をプラグ固定金具６０とし、ソケットコネクタ０１が実装されるプリント配線基板７０をソケット用基板７０、プラグコネクタ０２が実装されるプリント配線基板８０をプラグ用基板８０と記述し説明する。
【００１９】  また本説明においては図４における上方向を上方、下方向を下方、左右方向を左右方向とし、ソケットハウジング１０において上下方向に垂直な上方の面をソケット天面１８、ソケット用基板７０に載置されるソケットハウジング１０の下方の面をソケット下面１９として説明する。
【００２０】  ソケットハウジング１０は絶縁性のモールド材料からなり、略長方形状の外形において上方に開口した嵌合凹部１１が左右対称にソケット天面１８に略口状に形成され、嵌合凹部１１で区画された内側にはソケット天面高さの凸状の中央凸部１０ａが形成され、区画された外側にはほぼソケット天面高さの外周凸部１０ｂが形成される。そして外形の長手方向に沿う嵌合凹部１１にはソケット下面１９まで貫通する複数の端子収容開口部１３が形成され、嵌合凹部１１および端子収容開口部１３に連続し且つ横設して中央凸部１０ａに端子収容凹部１２が形成される。また端子収容凹部１２に対向して外周凸部１０ｂには端子収容開口部１３および嵌合凹部１１に連続し且つ横設して端子固定凹部１４が形成される。ここで端子収容凹部１２を覆う上方の壁、すなわちソケット天面１８は一部が嵌合凹部１１から連続して内側方向へ切り欠かれた切り欠き部１６によって切り欠かれており、残りの部分が端子収容凹部１２を覆う上方収容壁１５を形成している。なおこれらの形状は、嵌合凹部１１が左右対称に平面に略口状に形成されているのと同様に短手方向の左右において対称に複数が形成されている。
【００２１】  ソケット端子２０は導電性金属からなる細長状の薄板、例えば厚みが０．０６ｍｍ程度からなるものであり、一端２８の近傍には略Ｕ字状に曲げられた第一折曲部２１が形成され第一折曲部２１付近に後述するプラグコネクタ０２のプラグ端子５０と接触することとなる接触部２１ａが設けられ、この第一折曲部２１から連続して第一折曲部２１とはほぼ逆向きに略Ｕ字状に曲げられた第二折曲部２３が形成され、第二折曲部２３の一方から延出した部分が第一折曲部２１の下を通過し、一定長さの延出部２２を経て９０度よりやや小さな角度で曲げられた面が第一折曲部２１と対向する状態で固定面２５を形成した後に１８０度でＵ字状に曲げられた第三折曲部が形成され、他端がほぼ９０度の角度で固定面２５とは反対方向に折り曲げられ出力端子部２７を形成することとなる。なお、ソケット端子２０の形状については後述するソケットハウジング１０に組み込んだ状態において更なる形状を説明するものとする。
【００２２】  ソケット固定金具３０は長手方向の複数箇所において短手方向に突出する凸部が形成された略細長状の金属板が長手方向において略コ字状に折り曲げられて形成されたものであり、長手方向の両端２箇所および略コ字状の中央の梁に左右対称に設けれらた凸部は、後述するソケット用基板７０に配設された回路パターンに半田付け固定されるホールドダウン部３１を形成し、略コ字状の中央の梁にはホールドダウン部３１とは反対方向に突出しＵ字状に内側に折り曲げられソケットハウジング１０の外周凸部１０ｂの短手方向の壁に嵌合することとなる固定用折曲部３２が形成される。
【００２３】  そして、以上の部品を用いて以下のように組み立てることによりソケットコネクタ０１は完成する。まずソケットハウジング１０のソケット下面１９より複数のソケット端子２０が嵌合凹部１１、端子収容開口部１３、端子収容凹部１２、端子固定凹部１４によって形成される空間に挿入され、端子固定凹部１４内の側壁に沿ってソケットハウジング１０の長手方向に形成された端子固定溝１４１に、ソケット端子２０の第三折曲部２４の出力端子部側に板幅方向に左右に突出した固定用凸部２６を圧入して嵌合することによりソケットハウジング１０にソケット端子２０が固定される。
【００２４】  ソケットハウジング１０に固定されたソケット端子２０は、出力端子部２７がソケット下面１９とほぼ同じ高さにて外部に突出する。そして出力端子部２７からほぼ垂直に立ち上がる第三折曲部２４は端子固定凹部１４に収容され、出力端子部２７とは反対側の固定面２５には嵌合凹部１１に向って頂部が鈍角である山状に形成された固定用凸部２９が臨むこととなる。第三折曲部２４から連なる延出部２２は端子収容開口部１３においてソケット下面１９よりもやや高い位置で配置され第二折曲部２３へと続くこととなる。第二折曲部２３はＵ字状の頂部がソケットハウジング１０短手方向中央に向いて横たわる状態で端子収容凹部１２に収容され、第二折曲部２３に連続して形成された第一折曲部２１が頂部を嵌合凹部１１にやや斜め上方を向いて突出した状態で配置される。
【００２５】  ここで第一折曲部２１および第二収容折曲部２３を収容する端子収容凹部１２の上方の壁にはソケット端子２０の板幅よりも大きな長さで嵌合凹部１１に連続して内側方向に凹状に切り欠かれた切り欠き部１６が形成されており、これによって第一折曲部２１および第二折曲部２３の一部の上方は壁に覆われず、ソケット平面１８において第一折曲部２１および第二折曲部２３が露出して見える状態となっている。更に第一折曲部２１の最も上方に位置する部分は切り欠き部１６にソケット平面１８を越えない高さで突出することとなる。
【００２６】  更にソケット固定金具３０はソケット端子２０が組み入れられたソケットハウジング１０の外周凸部１０ｂに対して上方より組み入れられる。ソケットハウジング１０の外周凸部１０ｂにおいて短手の二辺を成す辺のほぼ中央および中央より一定等間隔で上方より下方に向けて形成された金具固定溝１４２が形成されており、ソケット端子２０の三箇所の固定用折曲部３２が一端から金具固定溝１４２に挿入され、固定用折曲部３２のＵ字部の折り返し間隔が金具固定溝１４２の外側壁よりも小さく形成されていることにより、Ｕ字部が外側壁を狭持する状態でソケットハウジング１０の短手二辺に略コ字状のソケット固定金具３０が固定されることとなり、ホールドダウン部３１の最下位置がソケット下面１９およびソケット端子２０の出力端子部２７の実装面とほぼ同じに高さになる。
【００２７】  完成されたソケットコネクタ０１は、ソケット下面１９が電気回路パターンが印刷されたプリント配線基板であるソケット用基板７０に載置され、各出力端子部２７および各ホールドダウン部３１がソケット用基板７０の対応するパターンに半田付けされて実装される。
【００２８】  次にソケットコネクタ０１に嵌合されるプラグコネクタ０２について説明する。説明するにあたり図５における上方向を上方、下方向を下方、左右方向を左右方向とし、これらの方向を適用した図３（ｂ）においてプラグハウジング４０の上下方向に垂直な下方の面をプラグ天面４３、後述するプラグ用基板に載置される上方の面をプラグ下面４４として説明する。
【００２９】  プラグコネクタ０２はソケットコネクタ０１と同様にプラグハウジング４０、プラグ端子５０、プラグ固定金具６０からなり、プラグハウジング４０は絶縁性のモールド材料からなる略長方状の底板部４２に外周に沿って断面が略長方形のリブ状の嵌合凸部４１が形成されたものであり、その嵌合凸部４１の外形はソケットコネクタ０１の嵌合凹部１１に嵌合されるように嵌合凹部１１の大きさよりやや小さく形成されている。プラグ端子５０は、導電性金属からなる細長の薄板からなるものであり図３（ｂ）に示すように短手方向断面において略口字状に折り曲げ形成されプラグハウジング４０の嵌合凸部４１にほぼ周設され一端がプラグ下面４４とほぼ等しい高さで外部に突出するプラグ出力端子部５１となり、嵌合凸部４１に上下方向にわたって配置された面がソケット端子２０と接触することとなるプラグ接触面５２を形成する。なおプラグ端子５０は複数がプラグハウジング４０に取り付けられており、それぞれが嵌合するソケットコネクタ０１のソケット端子２０の位置に対応して配置されている。
【００３０】  プラグ固定金具６０は金属板が略口字状に折り曲げられて形成されたものであり、板幅の中央に設けれらた凸部は後述するプラグコネクタ用基板８０に配設された回路パターンに半田付け固定されるプラグホールドダウン部６３を形成し、プラグホールドダウン部６３とは約９０度の角度をもって形成されＵ字状に折り曲げられた固定用折曲部６４がプラグハウジング４０の外壁４９に嵌合することとなる。プラグコネクタ０２はプラグ下面４４を電気回路パターンが印刷されたプリント配線基板であるプラグ用基板８０に載置され、各プラグ出力端子部５１および各プラグホールドダウン部６３がプラグ用基板８０の対応するパターンに半田付けされて実装される。
【００３１】  次にソケットコネクタ０１に対するプラグコネクタ０２の嵌合について説明する。ソケット用基板７０に実装されたソケットコネクタ０１に対してプラグ用基板８０に実装されたプラグコネクタ０２は上方より嵌合される。ここで、ソケットコネクタ０１の嵌合凹部１１に対してプラグコネクタ０２の嵌合凸部４１が対応する位置の真上よりソケット天面１８とプラグ天面４３とが平行を維持した正規の状態で嵌合される際には嵌合凹部１１に対して嵌合凸部４１はスムーズに挿入され、図５に示すように嵌合凹部１１に突出する接触部２１ａが嵌合凸部４１に周設されたプラグ端子５０に接触し、嵌合固定凸部２９がプラグ端子５０に凹設された固定用凹部５３に嵌合されることによりソケットコネクタ０１とプラグコネクタ０２とが電気的に接続され互いの嵌合が維持される。
【００３２】  しかしながら、図６に示すようにソケットコネクタ０１の嵌合凹部１１に対してプラグ０２の嵌合凸部４１が真上からではない状態、または／且つ、ソケット天面１８とプラグ天面４３とが平行ではなく傾いた状態で嵌合される、いわゆるこじり嵌合された際には嵌合凸部４１または嵌合凸部４１に周設したプラグ端子５０が、ソケットハウジング１０の切り欠き部１６からソケット端子２０の第一折曲部２１または／および第二折曲部２３に上方から当たる。このような場合であってもソケット端子２０は導電性金属からなる薄板を加工した弾性変形可能なものであるため、当接した際に一時的に弾性変形が起こることはあるが、その後プラグコネクタ０２が正規の嵌合状態とすべく嵌合の態勢を整えることによって上記の当たりが解かれれば第一折曲部２１または／および第二折曲部２３は何の損傷を受けることなく、元の形状に戻り、改めて正規の態勢で嵌合を行なうことが可能となる。しかしながら、切り欠き部１６が形成されることなく第一折曲部２１および第二折曲部２３が上方収容壁１５に覆われている場合には、嵌合凸部４１または嵌合凸部４１に周設したプラグ端子５０が上方収容壁１５に当たりこれによって第一折曲部２１または／および第二折曲部２３を恒久的に変形させたり、上方収容壁１５の一部が欠けてその小片が電気的接触を妨げたりする。つまり、切り欠き部１６が形成されているソケットコネクタ０１においてはこのような問題が起こり得ることがないといった大きな効果を生むこととなる。
【００３３】  なお、ソケットコネクタ０１とプラグコネクタ０２との嵌合においては、その後改めて正規の態勢で嵌合が行なわれることによって嵌合凹部１１に嵌合凸部４１がスムーズに嵌合されソケットコネクタ０１とプラグコネクタ０２とが電気的に接続され互いの嵌合が維持される。そしてこの際、更に以下のような効果が生じることとなる。ソケット端子２０の第一折曲部２１の最も上方に位置する部分は、切り欠き部１６においてソケット天面１８を超えない高さで突出しているため第一折曲部２１に設けられた接触部２１１の高さも第一折曲部２１および第二折曲部２３が上方収容壁１５で覆われる場合よりも上方に位置することになり、これによって嵌合凸部４１のより基部に近い位置に接触部２１ａが接触することとなる、つまり嵌合凸部４１と嵌合凹部１１との電気的接触が可能である嵌合長さをより大きくとることが可能となり、これによってソケットコネクタ０１とプラグコネクタ０２との電気的接続、および両コネクタが実装されるソケット用基板７０とプラグ用基板８０との間においてより安定した電気的接続が可能となる。
【００３４】  このようにソケットコネクタ０１は、端子収容凹部１２の上方収容壁１５に切り欠き部１６が形成されていることによりプラグコネクタ０２が正規の嵌合状態ではなく傾いた状態いわゆるこじり嵌合された場合であってもプラグコネクタ０２の一部が薄肉の上方収容壁１５に当たることはなく切り欠き部１６からソケット端子２０に当たることとなり、これによって一時的なソケット端子２０の弾性変形はあるものの、恒久的な損傷を受けることなく、その後のソケットコネクタ０１とプラグコネクタ０２との嵌合に影響を及ぼすことなく両コネクタの嵌合および電気的接続を問題なく行なうことが可能となるものである。
【００３５】  また本実施例においてはソケット端子２０の第一折曲部２１および第二折曲部２３は略Ｕ字形状で形成されているが、これに限るものではなく切り欠き部１６からプラグコネクタ０２の一部が当たった際に一時的にのみ弾性変形するものであればよい。
【符号の説明】
【００３６】０１  ソケットコネクタ
１０  ソケットハウジング
１０ａ  中央凸部
１０ｂ  外周凸部
１１  嵌合凹部
１２  端子収容凹部
１３  端子収容開口部
１４  端子固定凹部
１４１  端子固定溝
１４２  金具固定溝
１５  上方収容壁
１６  切り欠き部
１７
１８  ソケット天面
１９  ソケット下面
１８  中央凸部
１９  外周凸部
２０  ソケット端子
２１  第一折曲部
２１１  接触部
２２  延出部
２３  第二折曲部
２４  第三折曲部
２５  固定面
２６  固定用凸部
２７  出力端子部
２８  一端
２９  嵌合固定凸部
３０  ソケット固定金具
３１  ホールドダウン部
３２  固定用折曲部
０２  プラグコネクタ
４０  プラグハウジング
４１  嵌合凸部
４２  底板部
４３  プラグ天面
４４  プラグ下面
４７
４８  プラグ接触面
４９  外壁
５０  プラグ端子
５１  プラグ出力端子部
５２  プラグ接触面
５３  固定用凹部
６０  プラグ固定金具
６１  プラグ出力端子
６２  プラグ接触面
６３  プラグホールドダウン部
６４  固定用折曲部
１００  従来のコネクタ（ソケットコネクタ）
１０１  嵌合凹部
１０２  ソケット端子
１０３  ソケットハウジング
１０４  収容凹部
１０５  一端
１０６  上方の壁
２００  相手側コネクタ（プラグコネクタ）
３００  プリント配線基板
４００  もう一方のプリント配線基板
【図１】
2015046371.tif 000003
【図２】
2015046371.tif 000004
【図３】
2015046371.tif 000005
【図４】
2015046371.tif 000006
【図５】
2015046371.tif 000007
【図６】
2015046371.tif 000008
【図７】
2015046371.tif 000009